(57)【特許請求の範囲】
【請求項１】
土（１）と、土（１）に対して略同じ容積比の炭化籾殻（２）と、土（１）及び炭化籾殻（２）の総量の１割以下の糊（３）と、を混合してなることを特徴とする土壁。
【発明の詳細な説明】
【０００１】
【発明の属する技術分野】
本発明は、主に日本家屋の壁面に下塗りとして塗る土壁に関するものである。
【０００２】
【従来の技術】
従来この種の土壁として本出願人が既に提案した特許第３０９０８７８号を挙げることができる。この特許発明の内容は、廃棄物の有効利用及び取り扱いの利便性とともに、土と土との結合力の強化を図る見地から、継ぎ材として藁に替わり籾殻を用いたことを特徴とするものである。
【０００３】
しかしながら、土壁中の籾殻には、たまに米が残存していることがあり、この残存している米が原因となって施工後の壁にカビが生ずる懸念があった。
【０００４】
【発明が解決しようとする課題】
本発明は前記事情に基づいてなされたものであり、カビの発生のおそれが全くなく衛生的で健康にも良好な居住空間の形成に寄与できる土壁を提供することを目的とする。
【０００５】
【課題を解決するための手段】
本発明による土壁は、土と炭化籾殻とを略同じ容積量で配合・混入し、さらに土及び炭化籾殻をかき混ぜた後の総量の約１割以下の糊を入れて混合してなることを特徴とするものである。
【０００６】
ここで炭化籾殻とは、籾殻を酸素の供給が不完全または断たれた状態で熱分解したものであり、未だ籾殻の原形の残っているものを使用する。このようにして作った炭化籾殻は、籾殻を炭化することによって籾殻の殺菌が行われており、しかも断熱及び保温効果が高くなるという特性に変化する。
【０００７】
土は赤土（粘土）と山砂を混合し十分な水を入れてその状態のまま寝かしておいたものを使用する。
糊は、古くから左官材料に使用されてきたもの、例えば海草や餅米を煮て作ったものを用いるが、特に作業性や耐水性などの点から角又を主体とした海草糊が好ましい。
【０００８】
このように構成される土壁は、炭化籾殻を使用することによって、たとえ籾殻中に米の残存しているものがあったとしても、その米を含めて炭化され殺菌されているので、施工後の土壁中にはカビ発生原因となるものが全く存在していない。また、土壁施工後の土壁中に含まれている炭化籾殻には断熱及び保温作用があるので、本土壁を内壁や外壁に使用すれば、断熱・保温の性能に優れた居住環境の家屋を得ることができる。
【０００９】
【発明の実施の形態】
以下、本発明による土壁についての実施形態を説明する。本発明の土壁１３は、土壁の主材料となる土１と、土と土との結合を強くするためのいわゆる継ぎ材２と、土壁に固着性を出し且つ粘りを出して塗りやすくするための糊３と、を配合し混ぜ合わせて作ってある点は、従来一般の土壁と基本的に変わりはないが、本発明の場合、前記継ぎ材２として、米を包んでいる籾殻をそのままではなく酸素の供給が不完全か又は断った状態で熱分解して得た炭化籾殻２を利用している点が、最大の特徴となっている。
【００１０】
まず、前記土１は、赤土（粘土）が１に対して山砂を２の割合で配合し混ぜて水を十分に入れ、１年程度寝かしたものを使用する。そして、実際にこの土を工事現場で土壁用に使用する場合には、例えば、約１年寝かした前記土を例えばパワーショベル等の土木機械で掘り起こし、さらに、この土をローラにかけて塊となっている部分をつぶし、土の物理的性状を整える。
【００１１】
次に、炭化籾殻２の作り方の例について図２に基づき説明する。すなわち、図２に示すように、炭化籾殻２を作る際に使用する加熱炉４は、底が開放され且つ内部に熱源５を入れておくための中空部６を備えている加熱体７と、該加熱体７の中空部６に連通して起立する煙突８と、から構成され、前記加熱体７は上面が中央に向かって上向き勾配に形成されている略方形錐体状をしており、煙突８は加熱体７の中央頂部から起立し、煙突８の周面には煙突内に通じる多数の小孔９が設けてある。そして、加熱体７及び煙突８はいずれもブリキにて形成されている。この加熱炉４を用いて炭化籾殻２を作る場合には、まず、加熱体７の中空部６内に薪１０を入れた状態で火を付けた後、加熱炉４を中心として周りに堆く籾殻１１を置く。この際、煙突８の先端は堆く積まれている籾殻１１から飛び出ている状態にしておく。
【００１２】
このようにすれば、中空部６内で燃える薪１０を熱源５として加熱体７及び煙突８は加熱されていくが、この加熱体７及び煙突８の周りには籾殻１１で密閉状態となっていて放熱されないので、加熱体７及び煙突８における加熱温度が高くなり、その熱を受けて周りの籾殻１１が順次広がるようにして燻り出す状態となる。そして火の手が上がったらその部分に上から籾殻をその都度被せて酸素の供給を遮断して燻り状態を維持しつつ全体の籾殻１１を炭化籾殻２となるようにする。
【００１３】
次いで、糊３は海草糊を使用し、本実施形態例では海草のうち角又を炊いて１〜２０％の液濃度にしたものを用いる。
【００１４】
このようにして作った土１は布袋に詰め、さらに炭化籾殻２及び角又の糊３はそれぞれ各袋に詰めて工事現場へ運ぶ。
工事現場では、まず袋から炭化籾殻２を出してミキサーに投入し、次いで投入した炭化籾殻２と略同じ容積量の土１を同様にしてミキサー内に入れて両者をよくかき混ぜる。そうすると、炭化籾殻が粒状形態であることから土１の中に略均一に分散するとともに、炭化籾殻における半楕円球状の凹部１２まで土１が入り込んで土１に良くなじんだ状態となる。尚、土１と炭化籾殻２の容積比割合については、土１の割合が多いと土壁に亀裂が生じやすくなり、また炭化籾殻２の割合が多いと土壁のボードへの接着性が悪くなり塗りにくくなる。
前記のように、炭化籾殻２と土１を良くかき混ぜた後におけるミキサー内の炭化籾殻２及び土１の総量における約１割程度の容積量の糊３を更に入れて良くかき混ぜる。糊３を入れる理由は、土壁に粘りを出し塗りやすくするためであるが、糊３の割合が１割より超えると、土壁としての土が負けた状態になり好ましくない。
【００１５】
このようにして作った土壁１３は、炭化籾殻２が土１の中に平均的に分散し、且つ各炭化籾殻２の半楕円球状の凹部１２にまで土１が入り込んで土１と絶妙に一体的に混ざり合っているので、プラスタボードやラスボード等の被塗装面に容易に塗ることができるとともに、炭化籾殻２が土１と土１との結合力を強めて継ぎ材としての役割を十分に果たしている。
【００１６】
しかも、土壁１３中の炭化籾殻２は、炭化することで殺菌されているのでカビや雑菌の発生及び繁殖の原因になる懸念は全くない。
【００１７】
さらに、土壁中に分散している炭化籾殻２の物性について生の籾殻及び半炭化の籾殻と比較した実験データを以下の表１で示す。
【表１】
0003735074.tif 000002
【００１８】
このように実験データに示すように炭化籾殻２は、生の籾殻及び半炭化の籾殻のいずれよりも熱伝導率λの数値及び比熱сの数値が小さくなっている。換言すれば、炭化籾殻２の物性としての断熱性能及び保温性能は、生の籾殻のそれよりは勿論半炭化の籾殻のそれよりも優れている。
【００１９】
【発明の効果】
以上のように本発明による土壁は、亀裂を防いで土と土との結合力を強固にする継ぎ材として炭化籾殻を使用したので、カビや雑菌の発生及び繁殖の誘因を未然に断つことができ、しかも炭化籾殻による断熱・保温の特性とも相まって健康で且つ快適な居住環境の提供に寄与できる効果を有している。
【００２０】
また炭化籾殻は、運搬及び取り扱いにも便利であり、土壁による使用により現実に破棄処分に困るほど大量に存在している籾殻の有効利用を図ることができるとともに、コスト的にも極めて安価である。
【図面の簡単な説明】
【図１】（イ）（ロ）（ハ）
本発明による土壁の実施形態例を示す説明図とＡ部拡大図と炭化籾殻の斜視図である。
【図２】炭化籾殻を作る一例を示す説明図である。
【符号の説明】
１  土
２  炭化籾殻（継ぎ材）
３  糊
【図１】
0003735074.tif 000003
【図２】
0003735074.tif 000004